(57)【要約】【課題】撮影レンズの近傍に十分なスペースがなくても、大型化することなく、レンズバリアを取り付けることができる。【解決手段】撮影レンズの第１レンズ群Ｌ１を保持する第１レンズ室１３の後方への移動に連動して、直進運動を行う開閉駆動部材２１と、開閉駆動部材２１を、第１レンズ室１３の前方に付勢するばね２２と、開閉駆動部材２１の直進運動を、回転運動に変換する回転変換レバー２３と、回転変換レバー２３の回転運動によって、撮影レンズＬの前面を、円弧状の軌跡を描いて開閉するバリア部材２７とを備える。【選択図】        図４
2004341287.tif 000002
【特許請求の範囲】
【請求項１】
撮影レンズのいずれかのレンズ群を保持するレンズ室の第１の方向への移動に連動して、直進運動を行う開閉駆動部材と、
前記開閉駆動部材を、前記レンズ室の第１の方向と反対側の第２の方向に付勢する付勢部材と、
前記開閉駆動部材の直進運動を、回転運動に変換する直進回転変換機構と、
前記直進回転変換機構の回転運動によって、前記撮影レンズの前面を円弧状の軌跡を描いて開閉する少なくとも１つのバリア部材と、
を備えたバリア付きレンズ鏡筒。
【請求項２】
請求項１に記載のバリア付きレンズ鏡筒において、
前記バリア部材側から前記レンズ室への運動の伝達を遮断すること、
を特徴とするバリア付きレンズ鏡筒。
【請求項３】
請求項１に記載のバリア付きレンズ鏡筒において、
前記付勢部材は、前記バリア部材が開位置になるように付勢すること、
を特徴とするバリア付きレンズ鏡筒。
【請求項４】
請求項１に記載のバリア付きレンズ鏡筒において、
前記レンズ室の光軸方向への移動を案内する案内部材を備え、
前記バリア部材は、その回転中心が前記案内部材の近傍に設けられたこと、
を特徴とするバリア付きレンズ鏡筒。
【請求項５】
請求項１に記載のバリア付きレンズ鏡筒において、
前記撮影レンズは、ズームレンズであって、
前記開閉駆動部材は、前記レンズ室のズーム移動範囲とは別の、バリア開閉範囲で、前記レンズ室と連動すること、
を特徴とするバリア付きレンズ鏡筒。
【請求項６】
請求項１から請求項５までのいずれか１項に記載のバリア付きレンズ鏡筒を含み、前記撮影レンズの光軸が厚み方向と直交する方向に配置されたレンズユニットと、
前記レンズユニットと分割され、そのレンズユニットと回転可能に連結されており、モニタを含む本体ユニットと、
を備えたカメラ。
【発明の詳細な説明】
【０００１】
【発明の属する技術分野】
本発明は、スイバル式のデジタルカメラ等に適したバリア付きレンズ鏡筒及びカメラに関するものである。
【０００２】
【従来の技術】
従来のバリア付きカメラは、カメラ本体前面のレンズ鏡筒の前面側を覆う閉位置とレンズ鏡筒の前面側から退避する開位置との間で移動可能なレンズバリアが設けられる。このカメラは、例えば、カメラ本体内でレンズ鏡筒の一側のパトローネ室から繰り出されるフィルムを巻上げ収納するスプール室が、レンズ鏡筒の他側で設けられている。また、カメラ本体内でレンズ鏡筒の上端側に、少なくともオートフォーカス装置を構成する投光、受光部を有するＡＦブロックが設けられる。そして、前記レンズバリアの回転軸は、レンズ鏡筒とスプール室とＡＦブロックによって囲まれた部分に配置させている（例えば、特許文献１）。
【０００３】
また、レンズ鏡筒前面側を開閉するレンズバリアとその駆動手段を設け、駆動手段を、一個の電動モータとその回転方向によって伝達系を切換える遊星ギア機構によって駆動可能に構成したものがある（例えば、特許文献２）。
【０００４】
【特許文献１】
特開平６−２２２４３８号公報
【特許文献２】
特開平６−１３０４７７号公報
【０００５】
【発明が解決しようとする課題】
前述した従来のバリア付きカメラは、レンズバリアの開閉を、光軸と平行な軸中心で回転させていた。
しかし、撮影レンズを含むレンズユニットとモニタを含む本体ユニットとが分割され、撮影レンズの光軸が厚み方向と直交する方向に配置され、本体ユニットがレンズユニットと回転可能に連結された、いわゆるスイバル式のカメラでは、レンズユニットの前面で撮影レンズの近傍には、レンズバリアが退避するスペースがなく、レンズバリアを取り付けることができなかった。
【０００６】
また、レンズバリアは、専用の電動モータと遊星ギア機構等で駆動していたので、レンズユニットが大型化するうえ、コストアップの要因になっていた。
【０００７】
本発明の課題は、撮影レンズの近傍に十分なスペースがなくても、大型化することなく、レンズバリアを取り付けることができるバリア付きレンズ鏡筒及びカメラを提供することである。
【０００８】
【課題を解決するための手段】
前記課題を解決するために、請求項１の発明は、撮影レンズのいずれかのレンズ群を保持するレンズ室の第１の方向への移動に連動して、直進運動を行う開閉駆動部材と、前記開閉駆動部材を、前記レンズ室の第１の方向と反対側の第２の方向に付勢する付勢部材と、前記開閉駆動部材の直進運動を、回転運動に変換する直進回転変換機構と、前記直進回転変換機構の回転運動によって、前記撮影レンズの前面を円弧状の軌跡を描いて開閉する少なくとも１つのバリア部材と、を備えたバリア付きレンズ鏡筒である。
【０００９】
請求項２の発明は、請求項１に記載のバリア付きレンズ鏡筒において、前記バリア部材側から前記レンズ室への運動の伝達を遮断すること、を特徴とするバリア付きレンズ鏡筒である。
【００１０】
請求項３の発明は、請求項１に記載のバリア付きレンズ鏡筒において、前記付勢部材は、前記バリア部材が開位置になるように付勢すること、を特徴とするバリア付きレンズ鏡筒である。
【００１１】
請求項４の発明は、請求項１に記載のバリア付きレンズ鏡筒において、前記レンズ室の光軸方向への移動を案内する案内部材を備え、前記バリア部材は、その回転中心が前記案内部材の近傍に設けられたこと、を特徴とするバリア付きレンズ鏡筒である。
【００１２】
請求項５の発明は、請求項１に記載のバリア付きレンズ鏡筒において、前記撮影レンズは、ズームレンズであって、前記開閉駆動部材は、前記レンズ室のズーム移動範囲とは別の、バリア開閉範囲で、前記レンズ室と連動すること、を特徴とするバリア付きレンズ鏡筒である。
【００１３】
請求項６の発明は、請求項１から請求項５までのいずれか１項に記載のバリア付きレンズ鏡筒を含み、前記撮影レンズの光軸が厚み方向と直交する方向に配置されたレンズユニットと、前記レンズユニットと分割され、そのレンズユニットと回転可能に連結されており、モニタを含む本体ユニットと、を備えたカメラである。
【００１４】
【発明の実施の形態】
以下、図面等を参照して、本発明の実施の形態について、さらに詳しく説明する。
（第１実施形態）
図１は、本発明によるバリア付きレンズ鏡筒の第１実施形態を備えたカメラを示す外観図である。
このカメラは、後述する第１実施形態のバリア付きレンズ鏡筒１０を含み、撮影レンズＬの光軸が厚み方向と直交する方向に配置された撮像ユニット（レンズユニット）１００と、撮像ユニット１００と分割され、その撮像ユニット１００と回転可能に連結されており、モニタを含むモニタユニット（本体ユニット）３００とを備えている。
【００１５】
撮像ユニット１００は、図１（ａ）に主に示すように、撮影ズームレンズ１０１の他に電子閃光装置１０２、光学ファインダの対物ファインダ窓１０３、ファインダ接眼窓１０４、外部調光センサ窓１０５、赤目軽減・セルフタイマ表示ランプ１０６等を備えている。
【００１６】
モニタユニット３００の背面ＲＳには、図１（ｂ）に主に示すように、モニタ３０１の他に、画質モードボタン３０４、閃光撮影モードボタン３１３、マニュアルフォーカスモードボタン（ＭＦモードボタン）３１４、ズームアップボタン３０５、ズームダウンボタン３０６、モニタボタン３０７、メニューボタン３０８、セレクタ十字キー３１６が設けられている。
モニタユニット３００の上面ＵＳには、表示パネル３１２、メインスイッチ３１０、レリーズボタン３１１、露出補正ボタン３０２、撮影モードボタン３０３が設けられている。
【００１７】
このカメラは、収納時又は携帯時には、図１に示すように、撮像ユニット１００とモニタユニット３００がフラットになるように、すなわち、カメラ全体として略直方体形状になるように撮像ユニット１００を回転する。
また、通常撮影時には、撮影ズームレンズ１０１が被写体方向を向くように撮像ユニット１００を前方向に約９０度回転した撮影姿勢をとることができる。このとき、モニタユニット３００は、モニタ３０１が撮影者の方向を向くように保持されるので、撮影者は、光学ファインダのファインダ接眼窓１０４又はモニタ３０１により構図を確認しながら撮影を行うことができる。
撮影ズームレンズ１０１が撮影者を向くように撮像ユニット１００をカメラ後方方向に９０度回転した撮影姿勢とすることもできる。このときも、モニタ３０１が撮影者の方向を向くので、撮影者は、自分の顔をモニタ３０１で見ながら撮影を行うことができる。
【００１８】
図２〜図５は、本発明によるバリア付きレンズ鏡筒の第１実施形態を示す図であって、図２は、バリア部材が閉じる位置を示す断面図、図３は、バリア部材が開く位置を示す断面図、図４は、バリア部材が閉じた状態を示す外観斜視図、図５は、バリア部材が開いた状態を示す外観斜視図、図６は、バリア部材が閉じた状態を示す機構図、図７は、バリア部材が開いた状態を示す機構図である。
第１実施形態のバリア付きレンズ鏡筒１０は、図２，図３に示すように、鏡筒本体１１と、鏡筒本体１１内に光軸と平行に設けられたガイドバー１２と、第１レンズ群Ｌ１を保持し、ガイドバー１２に沿って光軸方向に移動可能な第１レンズ室１３と、第２レンズ群Ｌ２を保持し、ガイドバー１２に沿って第１レンズ室１３とは別に光軸方向に移動可能な第２レンズ室１４と、第３レンズ群Ｌ３を保持し、鏡筒本体１１の光軸後方で固定された第３レンズ室１５などとを備えている。
撮影レンズＬは、第１レンズ群Ｌ１，第２レンズ群Ｌ２及び第３レンズ群Ｌ３からなる３群構成のズームレンズとなっている。
【００１９】
バリア開閉機構２０は、図４，図５に示すように、レンズ鏡筒１０の本体１１の上面に設けられており、開閉駆動部材２１と、ばね２２と、回転変換レバー２３と、バリア部材２７等とを備えている。
【００２０】
開閉駆動部材２１は、撮影レンズの第１レンズ群Ｌ１を保持する第１レンズ室１３の後方（第１の方向）への移動に連動して、直進運動を行う部材である。この開閉駆動部材２１は、鏡筒本体１１に設けられて案内ねじ２１ａ，２１ｂに係合する２つの長孔２１ｃ，２１ｄと、第１レンズ室１３の係合ピン１３ａと係合する折り曲げ部２１ｅと、ばね２２の後端を掛けるばね掛け部２１ｆと、後述する回転変換レバー２３と係合する係合ピン２１ｇ等とを備えている。
【００２１】
ばね２２は、開閉駆動部材２１を、第１レンズ室１３の前方（第１の方向と反対側の第２の方向）に付勢する付勢部材である。このばね２２は、バリア部材２７が開位置になるように付勢するので、バリア部材２７の開動作を素早く行うことができる。
【００２２】
回転変換レバー２３は、開閉駆動部材２１の直進運動を、回転運動に変換する部材（直進回転変換機構）であって、軸２３ａを中心に回転可能であり、開閉駆動部材２１の係合ピン２１ｇに係合する切欠き部２３ｂを備えている。
【００２３】
また、このバリア開閉機構２０は、バリア部材２７側からレンズ室１３への運動の伝達を遮断するように、バリア部材２７に設けられ軸２３ａを中心に回転変換レバー２３と同軸で回転するバリア腕部２７ａと、回転変換レバー２３とバリア腕部２７ａとを一体化する方向に付勢するばね２６とが設けられている。
この回転変換レバー２３は、折り曲げ部２３ｃ（図４，図５，図６，図７参照）で、バリア部材２７の腕部２７ａに当接し、回転変換レバー２３側からの運動を、バリア部材２７に伝達可能となっている。また、回転変換レバー２３とバリア腕部２７ａとは、ばね２６により回転変換レバー２３とバリア腕部２７ａとが一体化する方向に付勢されている。
そして、閉状態のバリア部材２７を無理に開けるように、バリア部材２７側からの運動が行われた場合に、その運動の伝達は、バリア部材２７及びその腕部２７ａのみが回転することにより、バリア腕部２７ａと回転変換レバー２３との間で遮断される。
【００２４】
バリア部材２７は、回転変換レバー２３の回転運動によって、撮影レンズＬの前面を、円弧状の軌跡を描いて開閉する部材である。
【００２５】
次に、第１実施形態によるバリア付きレンズ鏡筒の動作を説明する。
図２に示すように、撮影レンズＬ（Ｌ１，Ｌ２，Ｌ３）は、退避位置にあるときには、第１レンズ室１３が光軸後方に移動しており、係合ピン１３ａが折り曲げ部２１ｅと係合し、開閉駆動部材２１は、ばね２２の付勢力に抗して、図４，図６に示すように、後方に移動している。
従って、回転変換レバー２３は、時計方向に回転した状態（図６の矢印Ｂ方向）であり、バリア部材２７は、撮影レンズＬの前面を閉じた状態となる。
【００２６】
このとき、バリア部材２７を手でこじ開ける等して、無理やり開く方向（図６の矢印Ｃ方向）に回転すると、回転変換レバー２３は開閉駆動部材２１によって移動できないので、バリア腕部２７ａがばね２６の付勢力に抗して回転する。
つまり、バリア部材２７は、ばね２６の付勢力に逆らって開くと同時に、ばね２６の付勢力は、回転変換レバー２３を介して開閉駆動部材２１に伝達される。しかし、開閉駆動部材２１に伝達される力は、バリア部材２７と回転変換レバー２３を連動させるのに必要な力なので、開閉駆動部材２１に過大な負荷がかかることはない。
【００２７】
このとき、バリア部材２７は、その回転中心（軸２３ａ）がガイドバー１２の近傍に設けられているので、無理な力がかかりにくい。
図８に示すように、バリア部材２７の開閉は、モータＭの動作によるレンズ枠（撮影レンズＬ１）１３の動きで行われる。
また、モータＭとガイドバー１２Ａ、ガイドバー１２Ａと回転変換レバー２３が近接していると、モーメントを抑えることができるため、各部品間の連動の効率を上げることができる。
さらに、バリア部材２７、バリア腕部２７ａ及回転変換レバー２３は、同一面で連動する関係にある。
以上より、モーメントをおさえ、バリアの開閉効率を上げるには、バリア部材２７は、ガイドバー１２Ａに近接しているとよい。
【００２８】
図３に示すように、撮影レンズＬが撮影可能位置（ズーム移動範囲のワイド端）に移動するときに、開閉駆動部材２１は、第１レンズ室１３のズーム移動範囲とは別の、バリア開閉範囲で、第１レンズ室１３と連動が解除される。
すると、図５，図７に示すように、開閉駆動部材２１は、ばね２２の付勢力（矢印Ｅ）で光軸前方（矢印Ｆ）へ移動する。このため、回転変換レバー２３は、バリア腕部２７ａと一体に、図７の反時計方向（矢印Ｇ）に回転し、バリア部材２７を開く。
【００２９】
撮影を終了して、撮影レンズＬが撮影可能範囲（ズーム移動範囲）からバリア開閉範囲にくると、開閉駆動部材２１が第１レンズ室１３と連動して、矢印Ａの方向に移動し、図４，図６に示すように、バリア部材２７を閉じる。
【００３０】
このように、第１実施形態によれば、バリア部材２７は、撮影レンズＬの前面を、円弧状の軌跡を描いて開閉するので、撮影レンズＬの前面近傍に十分なスペースがなくても、取り付けることができる。
開閉駆動部材２１は、折り曲げ部２１ｅで第１レンズ室１３の係合ピン１３ａと係合して、第１レンズ室１３の動きに連動するので、専用モータが不要であり、省スペースかつコストダウンがはかれる。
バリア部材２７を無理やり開く方向に回転しても、バリア腕部２７ａがばね２６の付勢力に抗して回転するので、回転変換レバー２３以前の機構には力が伝達することはなく、破損することはない。
バリア部材２７は、開位置になるようにばね２２で付勢するので、開動作を素早く行うことができる。
【００３１】
（第２実施形態）
図９〜図１４は、本発明によるバリア付きレンズ鏡筒の第２実施形態を示す図であって、図９は、バリア部材が閉じる位置を示す断面図及び上面機構図、図１０は、バリア部材が開く位置を示す断面図及び上面機構図、図１１は、バリア部材が閉じた状態を示す外観斜視図、図１２は、バリア部材が開いた状態を示す外観斜視図、図１３は、バリア部材が閉じた状態を示す機構図、図１４は、バリア部材が開いた状態を示す機構図である。
なお、前述した第１実施形態と同様な機能を果たす部分には、同一の符号又は末尾に統一した符号を付して、説明する。
【００３２】
第２実施形態のバリア付きレンズ鏡筒１０−２は、図９，図１０に示すように、鏡筒本体１１と、鏡筒本体１１内に光軸と平行に設けられたガイドバー１２と、第１レンズ群Ｌ１を保持し、ガイドバー１２に沿って光軸方向に移動可能な第１レンズ室１３と、第２レンズ群Ｌ２を保持し、ガイドバー１２に沿って第１レンズ室１３とは別に光軸方向に移動可能な第２レンズ室１４と、第３レンズ群Ｌ３を保持し、鏡筒本体１１の光軸後方で固定された第３レンズ室１５などとを備えている。
【００３３】
バリア開閉機構２０−２は、図９〜図１２に示すように、レンズ鏡筒１０の本体１１の上面に設けられており、開閉駆動部材２１と、ばね２２と、回転変換レバー２３（２３Ａ，２３Ｂ）と、位置規制ピン２４（２４Ａ，２４Ｂ，２４Ｃ）と、連動部材２５と、ばね２６−２と、バリア部材２７（２７Ａ，２７Ｂ）等とを備えている。
【００３４】
開閉駆動部材２１は、撮影レンズの第１レンズ群Ｌ１を保持する第１レンズ室１３の後方（第１の方向）への移動に連動して、直進運動を行う部材である。この開閉駆動部材２１は、鏡筒本体１１に設けられて案内ねじ２１ａ，２１ｂに係合する２つの長孔２１ｃ，２１ｄと、第１レンズ室１３の係合ピン１３ａと係合する折り曲げ部２１ｅと、ばね２２の後端を掛けるばね掛け部２１ｆと、ばね２６−２の後端を掛けるばね掛け部２１ｈ等とを備えている。
【００３５】
ばね２２は、開閉駆動部材２１を、第１レンズ室１３の前方（第１の方向と反対側の第２の方向）に付勢する付勢部材である。このばね２２は、バリア部材２７が開位置になるように付勢するので、バリア部材２７の開動作を素早く行うことができる。
【００３６】
回転変換レバー２３（２３Ａ，２３Ｂ）は、開閉駆動部材２１の直進運動を、連動部材２５を介して、回転運動に変換する部材（直進回転変換機構）であって、軸２３ａを中心に回転可能であり、連動部材２５の係合ピン２５ｇ−１，２５ｇ−２に係合する切欠き部２３ｂ−１，２３ｂ−２を備えている（図１３、図１４参照）。
【００３７】
位置規制ピン２４（２４Ａ，２４Ｂ，２４Ｃ）は、回転変換レバー２３（２３Ａ，２３Ｂ）の回転範囲を規制する部材であって、回転変換レバー２３Ａ，２３Ｂの開位置を規制する位置規制ピン２４Ａ，２４Ｂと、回転変換レバー２３Ａ，２３Ｂの閉位置を規制する位置規制ピン２４Ｃとを備えている。
【００３８】
また、このバリア開閉機構２０−２は、バリア部材２７（２７Ａ，２７Ｂ）側からレンズ室１３への運動の伝達を遮断するように、開閉駆動部材２１と連動する連動部材２５と、開閉駆動部材２１と連動部材２５とを一体化する方向に付勢するばね２６−２とが設けられている。
この連動部材２５は、開閉駆動部材２１と同様に、鏡筒本体１１に設けられて案内ねじ２１ａ，２１ｂに係合する２つの長孔２５ｄ，２５ｅと、ばね２６−２の前端を掛けるばね掛け部２５ｈ等とを備えている。
【００３９】
この連動部材２５は、係合ピン２５ｇ−１，２５ｇ−２（図１３，図１４参照）で、回転変換レバー２３の切欠き部２３ｂ−１，２３ｂ−２に当接し、連動部材２５側からの運動を、回転変換レバー２３に伝達可能となっている。この連動部材２５は、折り曲げ部２５ｃ（図９，図１０，図１１，図１２参照）で、開閉駆動部材２１の切欠き部２１ｉ（図１３，図１４参照）に当接し、開閉駆動部材２１側からの運動を、連動部材２５に伝達可能となっている。
また、開閉駆動部材２１と連動部材２５とは、ばね２６−２により開閉駆動部材２１と連動部材２５とが一体化する方向に付勢されている。
そして、閉状態のバリア部材２７を無理に開けるように、バリア部材２７側からの運動が行われた場合に、その運動の伝達は、バリア部材２７及び回転変換レバー２３のみが回転することにより、連動部材２５と開閉駆動部材２１との間で遮断される。
【００４０】
バリア部材２７（２７Ａ，２７Ｂ）は、回転変換レバー２３（２３Ａ，２３Ｂ）の回転運動によって、撮影レンズＬの前面を、円弧状の軌跡を描いて開閉する部材である。
【００４１】
次に、第２実施形態によるバリア付きレンズ鏡筒の動作を説明する。
図９に示すように、撮影レンズＬ（Ｌ１，Ｌ２，Ｌ３）は、退避位置にあるときには、第１レンズ室１３が光軸後方に移動しており、係合ピン１３ａが折り曲げ部２１ｅと係合し、開閉駆動部材２１は、ばね２２の付勢力に抗して、図１１，図１３に示すように、後方に移動している。
従って、回転変換レバー２３Ａは、時計方向に回転した状態（図１３の矢印Ｂ−１方向）、回転変換レバー２３Ｂは、反時計方向に回転した状態（図１３の矢印Ｂ−２方向）であり、バリア部材２７（２７Ａ，２７Ｂ）は、撮影レンズＬの前面を閉じた状態となる。
【００４２】
このとき、バリア部材２７（２７Ａ，２７Ｂ）を手でこじ開ける等して、無理やり開く方向（図１３の矢印Ｃ−１，Ｃ−２方向）に回転すると、回転変換レバー２３（２３Ａ，２３Ｂ）は、開閉駆動部材２１によって移動できないので、連動部材２５がばね２６−２の付勢力に抗して移動する。
つまり、バリア部材２７（２７Ａ，２７Ｂ）は、ばね２６−２の付勢力に逆らって開くと同時に、ばね２６−２の付勢力は、回転変換レバー２３を介して連動部材２５に伝達され、連動部材２５が移動する。しかし、その際に、連動部材２５と開閉駆動部材２１との当接が解除されるため、開閉駆動部材２１への力の伝達を遮断することができるので、開閉駆動部材２１に過大な負荷がかかることはない。
【００４３】
図１０に示すように、撮影レンズＬが撮影可能位置（ズーム移動範囲のワイド端）に移動するときに、開閉駆動部材２１は、第１レンズ室１３のズーム移動範囲とは別の、バリア開閉範囲で、第１レンズ室１３と連動が解除される。
すると、図１２，図１４に示すように、開閉駆動部材２１は、ばね２２の付勢力（矢印Ｅ）で光軸前方（矢印Ｆ）へ移動する。このとき、連動部材２５も、切欠き部２１ｉと折り曲げ部２５ｃの当接部分を介して、開閉駆動部材２１と一緒に移動する。
このため、回転変換レバー２３Ａは、図１４の反時計方向（矢印Ｇ−１）に回転し、回転変換レバー２３Ｂは、図１４の時計方向（矢印Ｇ−２）に回転し、バリア部材２７（２７Ａ，２７Ｂ）を開く。
【００４４】
撮影を終了して、撮影レンズＬが撮影可能範囲（ズーム移動範囲）からバリア開閉範囲にくると、開閉駆動部材２１が第１レンズ室１３と連動して、矢印Ａの方向に移動し、図９，図１１，図１３に示すように、バリア部材２７（２７Ａ，２７Ｂ）を閉じる。
【００４５】
このように、第２実施形態によれば、バリア部材２７（２７Ａ，２７Ｂ）は、撮影レンズＬの前面を、左右両側に、円弧状の軌跡を描いて開閉するので、撮影レンズＬの前面近傍に、第１実施形態よりも十分なスペースがなくても、取り付けることができる。
【００４６】
また、２つのバリア部材２７Ａ，２７Ｂを駆動するので、それぞれの可動範囲は狭くて済み、迅速に開閉することができる、
【００４７】
（変形形態）
以上説明した実施形態に限定されることなく、種々の変形や変更が可能であって、それらも本発明の均等の範囲内である。
スイバル式のカメラを例に説明したが、ビデオカメラ、薄い箱型のカメラ、双眼鏡などにも適用することができる。
【００４８】
【発明の効果】
以上詳しく説明したように、本発明によれば、撮影レンズの近傍に十分なスペースがなくても、大型化することなく、レンズバリアを取り付けることができる、という効果がある。
【図面の簡単な説明】
【図１】本発明によるバリア付きレンズ鏡筒の第１実施形態を備えたカメラを示す外観図である。
【図２】第１実施形態によるバリア付きレンズ鏡筒のバリア部材が閉じる位置を示す断面図である。
【図３】第１実施形態によるバリア付きレンズ鏡筒のバリア部材が開く位置を示す断面図である。
【図４】第１実施形態によるバリア付きレンズ鏡筒のバリア部材が閉じた状態を示す外観斜視図である。
【図５】第１実施形態によるバリア付きレンズ鏡筒のバリア部材が開いた状態を示す外観斜視図である。
【図６】第１実施形態によるバリア付きレンズ鏡筒のバリア部材が閉じた状態を示す機構図である。
【図７】第１実施形態によるバリア付きレンズ鏡筒のバリア部材が開いた状態を示す機構図である。
【図８】第１実施形態によるバリア付きレンズ鏡筒のバリア部材とガイドバーの関係を示す図である。
【図９】第２実施形態によるバリア付きレンズ鏡筒のバリア部材が閉じる位置を示す断面図及び上面機構図である。
【図１０】第２実施形態によるバリア付きレンズ鏡筒のバリア部材が開く位置を示す断面図及び上面機構図である。
【図１１】第２実施形態によるバリア付きレンズ鏡筒のバリア部材が閉じた状態を示す外観斜視図である。
【図１２】第２実施形態によるバリア付きレンズ鏡筒のバリア部材が開いた状態を示す外観斜視図である。
【図１３】第２実施形態によるバリア付きレンズ鏡筒のバリア部材が閉じた状態を示す機構図である。
【図１４】第２実施形態によるバリア付きレンズ鏡筒のバリア部材が開いた状態を示す機構図である。
【符号の説明】
１０，１０−２  バリア付きレンズ鏡筒
１１  鏡筒本体
１２  ガイドバー
１３  第１レンズ室
１４  第２レンズ室
１４  第３レンズ室
Ｌ  撮影レンズ
Ｌ１  第１レンズ群
Ｌ２  第２レンズ群
Ｌ３  第３レンズ群
２０，２０−２  バリア開閉機構
２１  開閉駆動部材
２２  ばね
２３  回転変換レバー
２６，２６−２  ばね
２７  バリア部材
２７ａ  バリア腕部
【図１】
2004341287.tif 000003
【図２】
2004341287.tif 000004
【図３】
2004341287.tif 000005
【図４】
2004341287.tif 000006
【図５】
2004341287.tif 000007
【図６】
2004341287.tif 000008
【図７】
2004341287.tif 000009
【図８】
2004341287.tif 000010
【図９】
2004341287.tif 000011
【図１０】
2004341287.tif 000012
【図１１】
2004341287.tif 000013
【図１２】
2004341287.tif 000014
【図１３】
2004341287.tif 000015
【図１４】
2004341287.tif 000016